(57)【要約】【課題】ネットワークビジネスにおいて、様々な条件が課せられるため、登録会員が高報酬を得ることは難しいのが実情である。また、登録会員が招待メールを送信する際にも、文面作成に手間がかかり、登録会員候補者が多数存在すると、送信手続が煩雑となる。  そこで、ユニレベル型報酬プランであっても、下位ラインの形にとらわれず、下位登録会員の購入実績に応じて、報酬が得られることとするとともに、登録会員候補者を紹介する際の手間を軽減することができるネットワークビジネス支援システムを提供する。【解決手段】登録会員は下位登録会員が獲得した購入ポイントが一定の値となる毎に、当該値に応じた報酬を得られることを特徴とするネットワークビジネス報酬プランシステムにおいて、メール本文を自動生成し、前記登録会員の被紹介者に招待メールを送信することができるネットワークビジネス支援システムであることを特徴とする。【選択図】  図４
2019133394.tif 000002
【特許請求の範囲】
【請求項１】
ネットワークビジネスにおけるユニレベル型報酬プランシステムにおいて、登録会員は購入する商品の金額又は個数に対応する購入ポイントを獲得することとし、前記登録会員の下位登録会員が獲得する前記購入ポイントが一定の値となる毎に、前記登録会員が当該値に応じた報酬を得られることを特徴とするネットワークビジネス報酬プランシステム
【請求項２】
前記下位登録会員の更なる下位登録会員が獲得する前記購入ポイントが一定の値となる毎に、前記登録会員が当該値に応じた報酬を得られることを特徴とする請求項１記載のネットワークビジネス報酬プランシステム
【請求項３】
前記登録会員が獲得する前記購入ポイントの値に応じて、前記登録会員が報酬を得られることを特徴とする請求項１乃至２いずれか記載のネットワークビジネス報酬プランシステム
【請求項４】
前記登録会員に紹介された被紹介者が新規登録会員となる毎に、前記登録会員が一定の報酬を得られることを特徴とする請求項１乃至３いずれか記載のネットワークビジネス報酬プランシステム
【請求項５】
前記登録会員並びに前記登録会員の下位登録会員の獲得する前記購入ポイントの値に応じて、前記登録会員に、当該ネットワークビジネス報酬プランシステムの総売上高に対する一定の割合の報酬を分配することを特徴とする請求項１乃至４いずれか記載のネットワークビジネス報酬プランシステム
【請求項６】
請求項１乃至５いずれか記載のネットワークビジネス報酬プランシステムにおいて、メール本文を自動生成し、前記登録会員の被紹介者に招待メールを送信することができるネットワークビジネス支援システム
【請求項７】
前記招待メールを受信した 前記被紹介者が、前記招待メール本文に記載されたＵＲＬをクリックすると、前記ネットワークビジネス報酬プランシステムの会員登録画面が表示されることを特徴とする請求項６記載のネットワークビジネス支援システム
【発明の詳細な説明】
【技術分野】
【０００１】
本発明は、ネットワークビジネス報酬プランシステム及び通信ネットワークを利用したネットワークビジネス支援システムに関する。
【背景技術】
【０００２】
ネットワークビジネスには種々の報酬プランがあり、登録会員が報酬を得るためには、前記登録会員自ら商品を購入するとともに、登録会員候補者を紹介して、前記登録会員の下位に新規登録会員を増やす必要がある。
そして、登録会員を支援するためのシステムが開示されている（特許文献１）。
【先行技術文献】
【特許文献】
【０００３】
【特許文献１】特開２００７−３１０５６１号公報
【発明の概要】
【発明が解決しようとする課題】
【０００４】
ネットワークビジネスの代表的な報酬プランとして、バイナリー型報酬プラン（以下、「バイナリープラン」という。）及びユニレベル型報酬プラン（以下、「ユニレベルプラン」という。）がある。
【０００５】
バイナリープランは、登録会員が直接紹介者となる被直接紹介者を前記登録会員の下位の登録会員とする場合、前記登録会員の直下の下位レベルには新規登録会員を２人に限定されるのが通常である。３人目以降の被直接紹介者を新規登録会員とする場合には、前記登録会員の直下の下位レベルの登録とすることができず、更なる下位レベルでの登録となる。
そして、その報酬プランとしては、下位２つのラインのうち、購入額の少ないラインを基準に報酬額が算定されるため、下位２つのラインが均等に伸びていかないと、高報酬が得られないという問題がある。
【０００６】
一方、ユニレベルプランは、登録会員が直接紹介者となる被直接紹介者を制限なく前記登録会員の直下の下位レベルの登録とすることができるものの、その報酬プランとしては、一定の下位レベルまでの購入額が対象となり、下位レベルの段階別に報酬付与率の割合が異なるよう設定されているのが通常である。
そして、一定の成績を達成した登録会員に対して、特定の資格を付与して、更なる下位レベルまでの登録会員の購入額を対象とした報酬を与える等の特典を設けているものの、その特典獲得のための資格維持条件として、前記登録会員自身に一定額以上の購入を求める等を設定することが通常であって、前記バイナリープランと同様に、下位のラインが均等に伸びていかないと高報酬が得られないという問題がある。
【０００７】
そこで、ユニレベルプランでありながら、下位のラインが均等に伸びていかなくとも、登録会員が高報酬を得られるようなネットワークビジネス報酬プランシステムを提供するとともに、登録会員が容易に被紹介者を新規登録会員とすることができるようなネットワークビジネス支援システムを提供することを目的とする。
【課題を解決するための手段】
【０００８】
請求項１記載のネットワークビジネス報酬プランシステムは、ネットワークビジネスにおけるユニレベル型報酬プランシステムにおいて、登録会員は購入する商品の金額又は個数に対応する購入ポイントを獲得することとし、前記登録会員の下位登録会員が獲得する前記購入ポイントが一定の値となる毎に、前記登録会員が当該値に応じた報酬を得られることを特徴とするネットワークビジネス報酬プランシステムに関する。
【０００９】
前記の発明によれば、下位レベルの段階にかかわらず、下位レベルの購入ポイントに応じて報酬を算出するため、登録会員の下位のラインの伸びの形にかかわらず、登録会員の下位登録会員の購入実績に応じた報酬が得られるというネットワークビジネス報酬プランシステムを提供することができる。
【００１０】
請求項２記載のネットワークビジネス報酬プランシステムは、前記下位登録会員の更なる下位登録会員が獲得する前記購入ポイントが一定の値となる毎に、前記登録会員が当該値に応じた報酬を得られることを特徴とする請求項１記載のネットワークビジネス報酬プランシステムに関する。
【００１１】
前記の発明によれば、前記登録者の下位登録会員が前記請求項１記載の報酬を得る際に一定の成績を上げた場合には、前記登録者は、前記請求項１記載の報酬に加えて、更なる報酬が得られるというネットワークビジネス報酬プランシステムを提供することができる。
【００１２】
請求項３記載のネットワークビジネス報酬プランシステムは、前記登録会員が獲得する前記購入ポイントの値に応じて、前記登録会員が報酬を得られることを特徴とする請求項１乃至２いずれか記載のネットワークビジネス報酬プランシステムに関する。
【００１３】
前記の発明によれば、前記登録者は前記請求項１乃至２記載の報酬に加えて、前記登録者自身の購入実績に応じた報酬が得られるというネットワークビジネス報酬プランシステムを提供することができる。
【００１４】
請求項４記載のネットワークビジネス報酬プランシステムは、前記登録会員に紹介された被紹介者が新規登録会員となる毎に、前記登録会員が一定の報酬を得られることを特徴とする請求項１乃至３いずれか記載のネットワークビジネス報酬プランシステムに関する。
【００１５】
前記の発明によれば、前記登録者は前記請求項１乃至３記載の報酬に加えて、前記登録会員の直接被紹介者が新規登録会員となる際に、登録となった被紹介者の人数に応じた報酬が得られるというネットワークビジネス報酬プランシステムを提供することができる。
【００１６】
請求項５記載のネットワークビジネス報酬プランシステムは、前記登録会員並びに前記登録会員の下位登録会員の獲得する前記購入ポイントの値に応じて、前記登録会員に、当該ネットワークビジネス報酬プランシステムの総売上高に対する一定の割合の報酬を分配することを特徴とする請求項１乃至４いずれか記載のネットワークビジネス報酬プランシステムに関する。
【００１７】
前記の発明によれば、前記登録者は前記請求項１乃至４記載の報酬に加えて、前記登録者自身及びその下位の登録会員の購入実績に応じて、当該ネットワークビジネス報酬プランシステムの総売上の一部を報酬として得られるというネットワークビジネス報酬プランシステムを提供することができる。
【００１８】
請求項６記載のネットワークビジネス支援システムは、請求項１乃至５いずれか記載のネットワークビジネス報酬プランシステムにおいて、メール本文を自動生成し、前記登録会員の被紹介者に招待メールを送信することができるネットワークビジネス支援システムに関する。
【００１９】
前記の発明によれば、本ネットワークビジネス報酬プランシステムにおける前記登録会員が登録会員候補者を紹介する際の手間を軽減することができるネットワークビジネス支援システムを提供することができる。
【００２０】
請求項７記載のネットワークビジネス支援システムは、前記招待メールを受信した前記被紹介者が、前記招待メール本文に記載されたＵＲＬをクリックすると、前記ネットワークビジネス報酬プランシステムの会員登録画面が表示されることを特徴とする請求項７記載のネットワークビジネス支援システムに関する。
【００２１】
前記の発明によれば、前記請求項８記載の招待メールを受け取った被紹介者が容易に本ネットワークビジネス報酬プランシステムの登録会員となることができるネットワークビジネス支援システムを提供することができる。
【発明の効果】
【００２２】
従来のネットワークビジネスの登録会員は、下位の登録会員を増やすとともに、下位の登録会員のラインの伸びの形を均等に、綺麗に形作ることが要求されていたが、本発明により、そのような形式にこだわることなく、登録会員は容易にネットワークビジネスに取り組むことができることができる。
また、登録会員が下位の登録会員を増やすにあたって、登録会員候補者に連絡をし、被紹介者が登録するという一連の手間を軽減できるという等の優れた効果を得ることができる。
【図面の簡単な説明】
【００２３】
【図１】本発明の実施の形態に係るネットワークビジネス報酬プランシステムにおける登録ラインを示す構成図である。
【図２】本発明の実施の形態に係るネットワークビジネス報酬プランシステムにおける獲得購入ポイントの一例を示す表である。
【図３】本発明の実施の形態に係るネットワークビジネス支援システムのブロック図である。
【図４】本発明の実施の形態に係る招待メールの作成・送信の手順を示すフローチャートである。
【図５】本発明の実施の形態に係る招待メールの作成・送信の手順を示すフローチャートである。
【図６】本発明の実施の形態に係る招待メール作成画面の一例を示す図である。
【発明を実施するための形態】
【００２４】
以下、図面を参照しつつ、本発明の実施の形態について説明する。なお、本発明の実施の形態については、通信ネットワークとしてインターネットを利用しているが、これは例示であって、イントラネット等の他の通信ネットワーク環境下においても実施可能である。
【００２５】
本発明の実施の形態に係るネットワークビジネス報酬プランシステムの体系について説明をする。図１はネットワークビジネス報酬プランシステムの登録ラインを示す構成図である。
本発明の実施の形態に係るネットワークビジネス報酬プランシステムの構成例は、登録会員Ａの直下の下位レベルであるレベル１に、登録会員Ａの被直接紹介者である被直接紹介者Ａ及び被直接紹介者Ｂの２人が登録会員となっている。以降、登録会員Ａから被直接紹介者Ａ、その下位レベルへと繋がるラインをラインＡとし、登録会員Ｂから被直接紹介者Ｂ、その下位レベルへと繋がるラインをラインＢとする。
レベル１の直下の下位レベルであるレベル２に、被紹介者Ａが直接紹介者となる被紹介者Ａ１、被紹介者Ｂが直接紹介者となる被紹介者Ｂ１の２人が登録会員となっている。
さらに、レベル２の直下の下位レベルであるレベル３に、被紹介者Ａ１が直接紹介者となる被紹介者Ａ１１及び被紹介者Ａ１２、被紹介者Ｂ１が直接紹介者となる被紹介者Ｂ１１の３人が登録会員となっている。
そのレベル３の直下の下位レベルであるレベル４に、被紹介者Ａ１１が直接紹介者となる被紹介者Ａ２１、被紹介者Ａ１２が直接紹介者となる被紹介者Ａ２２、被紹介者Ｂ１１が直接紹介者となる被紹介者Ｂ２１・Ｂ２２及びＢ２３の計５人が登録会員となっている。
そのレベル４の直下の下位レベルであるレベル５においては、被直接紹介者ＡのラインであるラインＡは途絶えて、被紹介者Ｂ２１が直接紹介者となる被紹介者Ｂ３１、被紹介者Ｂ２２が直接紹介者となる被紹介者Ｂ３２の２人が登録会員となっていて、被紹介者Ｂ２３からのラインは途絶えている。
そのレベル５の直下の下位レベルであるレベル６においては、被紹介者Ｂ３１が直接紹介者となる被紹介者Ｂ４１・Ｂ４２、被紹介者Ｂ３２が直接紹介者となる被紹介者Ｂ４３の計３人が登録会員となっている。
そして、レベル６の直下の下位レベルであるレベル７においては、被紹介者Ｂ４１が直接紹介者となる被紹介者Ｂ５１及びＢ５２の２人が登録会員となっており、被紹介者Ｂ４２及びＢ４３のラインは途絶えることとなっている。
【００２６】
なお、本実施例の登録ラインは、登録会員Ａと、その下位レベルであるレベル１からレベル７の構成となっているが、登録会員Ａの上のレベルには登録会員Ａを直接紹介した者が登録会員となっており、レベル７の下位レベルにもレベルが続いていくこととなり、登録会員Ａ、被直接紹介者Ｂから続くラインが伸びていくこととなる。
また、本実施例においては、登録会員Ａの直下の下位レベルであるレベル１の登録会員は、登録会員Ａの被直接紹介者である被直接紹介者Ａ及び被直接紹介者Ｂの２人となっているが、本ネットワークビジネス報酬プランシステムはユニレベルプランシステムであり、レベル１における直接紹介となる登録会員の人数に特段の制限はない。
【００２７】
次いで、本実施の形態に係るネットワークビジネス報酬プランシステムにおける報酬プランについて説明する。
登録会員は、各自の商品購入金額又は商品購入個数に応じて、購入ポイントを獲得する。購入ポイントの算出期間は任意であるが、本実施例においては、月単位での算出とする。本実施例においては、本ネットワークビジネス報酬プランシステムの取扱商品は商品Ａの１種類のみとして、商品Ａを一個購入する毎に１０，０００ポイント（以下、「１０ＫＰ」という。）を獲得するものとして説明する。
【００２８】
本実施例においては、図２に示すように、ある年度の１月に登録会員Ａの直接紹介となる被直接紹介者Ａ及びＢが、登録会員Ａの直下レベルであるレベル１の新規登録会員となり、それぞれ商品Ａを１個購入することにより、購入ポイントをそれぞれ１０ＫＰ獲得している。また、登録会員Ａは自身で商品Ａを３個購入することにより、購入ポイントを３０ＫＰ獲得している。
そして、２月には、被直接紹介者Ａは、自身で商品Ａを１個購入することにより購入ポイント１０ＫＰを獲得するとともに、被直接紹介者Ａの直接紹介となる被紹介者Ａ１が、被直接紹介者Ａの直下レベルとなるレベル２の新規登録会員となり、被紹介者Ａ１は自身で商品Ａを１個購入することにより購入ポイントを１０ＫＰ獲得している。
また、被紹介者Ａ１の直接紹介となる被紹介者Ａ１１及びＡ１２が、被紹介者Ａ１の直下レベルとなるレベル３の新規登録会員となり、被紹介者Ａ１１及びＡ１２についても、各自商品Ａを１個購入することにより、それぞれ購入ポイントを１０ＫＰ獲得している。
さらに、被紹介者Ａ１１及びＡ１２は、その直接紹介となる被紹介者Ａ２１及びＡ２２を、被紹介者Ａ１１及びＡ１２の直下レベルであるレベル４の新規登録会員としている。そして、被紹介者Ａ２１及びＡ２２は、それぞれ商品Ａを１個購入することにより購入ポイントをそれぞれ１０ＫＰ獲得している。
ラインＢについては、同様に被紹介者Ｂはレベル２に被紹介者Ｂ１を新規登録会員とし、被紹介者Ｂ１はレベル３に被紹介者Ｂ１１を新規登録会員とし、被紹介者Ｂ１１は被紹介者Ｂ２１、Ｂ２２及びＢ２３をレベル４の新規登録会員としている。
【００２９】
３月には、ラインＡでの新規会員登録はなかったが、ラインＢにおいては、被紹介者Ｂ２１及びＢ２２が直接紹介となる被紹介者Ｂ３１及びＢ３２をレベル５の新規登録会員としており、被紹介者Ｂ３１が直接紹介となる被紹介者Ｂ４１及びＢ４２をレベル６の新規登録会員としている。被紹介者Ｂ３２は直接紹介となる被紹介者Ｂ４３をレベル６の新規登録会員としている。
【００３０】
本報酬プランでは、登録会員Ａは、登録会員Ａの下位レベルに属する登録会員の購入ポイントが一定の値に達した場合の報酬（以下、「リピートボーナス」という。）を得られることとなるが、本実施例においては、その一定の値を６０ＫＰとするが、その値は任意である。そして、６０ＫＰ毎に１サイクル達成として算出する。
１月においては、登録会員Ａの下位レベルの登録会員は被直接紹介者Ａ及びＢの２人であるが、当該被紹介者Ａ及びＢの合計購入ポイントは２０ＫＰであるため、登録会員Ａはリピートボーナスを得ることができない。
２月においては、ラインＡにおいて、被直接紹介者Ａ、被紹介者Ａ１、被紹介者Ａ１１、被紹介者Ａ１２、被紹介者Ａ２１及び被紹介者Ａ２２の合計購入ポイントが６０ＫＰとなり、１サイクルとなる。また、ラインＢにおいても、被直接紹介者Ｂ、被紹介者Ｂ１、被紹介者Ｂ１１、被紹介者Ｂ２１、被紹介者Ｂ２２及び被紹介者Ｂ２３の合計購入ポイントが６０ＫＰとなり、１サイクルとなる。
したがって、合計で２サイクルの達成となり、登録会員Ａは２サイクル分のリピートボーナスを得ることができる。ここで、１サイクルのリピートボーナスの金額は任意であり、達成サイクルの度合いに応じて、リピートボーナス金額の増減に差異を設定することも可能である。また、リピートボーナスは金銭に限られず、物品とすることも可能である。
３月においては、ラインＡの被直接紹介者Ａ、被紹介者Ａ１、被紹介者Ａ１１、被紹介者Ａ１２、被紹介者Ａ２１及び被紹介者Ａ２２の合計購入ポイントが１サイクルとなり、ラインＢの被紹介者Ｂ２１の購入ポイントが１サイクルとなる。そして、ラインＢの被紹介者Ｂ３１、被紹介者Ｂ３２、被紹介者Ｂ４１、被紹介者Ｂ４２及び被紹介者Ｂ４３の合計購入ポイントが１サイクルとなるため、登録会員Ａは合計で３サイクル分のリピートボーナスが得られる。
なお、リピートボーナスのサイクル達成条件として、自身が購入ポイントを獲得する必要がある、同一のラインに限る、一定の下位レベルまでとする等の条件を課すことも可能である。
【００３１】
また、３月においては、被紹介者Ｂ２１についても、その下位レベルである被紹介者Ｂ３１、被紹介者Ｂ３２、被紹介者Ｂ４１、被紹介者Ｂ４２及び被紹介者Ｂ４３の合計購入ポイントが１サイクルとなるため、被紹介者Ｂ２１は１サイクル分のリピートボーナスが得られる。
ここで、登録会員Ａの下位登録会員である被直接紹介者Ｂの更なる下位登録会員である被紹介者Ｂ２１が１サイクルを達成したため、登録会員Ａは下位登録会員がリピートボーナスを獲得することによる報酬（以下、「タイトルボーナス」という。）を得ることができる。
なお、タイトルボーナスの達成条件として、自身が購入ポイントを獲得する必要がある、同一のラインに限る、一定の下位レベルまでとする等の条件を課すことも可能である。また、下位登録会員の達成サイクルの度合いや、リピートボーナスを達成した下位登録会員の人数に応じて、タイトルボーナスの増減に差異を設定することも可能である。また、タイトルボーナスは金銭に限られず、物品とすることも可能である。
【００３２】
１〜３月において、登録会員Ａは自身で商品Ａを購入し、各月において購入ポイントを３０ＫＰ獲得しているため、自身の購入ポイント獲得による報酬（以下、「キャッシュバックボーナス」という。）を得ることができる。
なお、本実施例においては、キャッシュバックボーナスを得られる自身の最低獲得購入ポイントを３０ＫＰとしているが、その購入ポイント数は任意である。また、キャッシュバックボーナスの算出にあたって、登録会員Ａ自身の獲得購入ポイントの上下限を設けたり、購入ポイントと報酬の割合は任意である。
【００３３】
登録会員Ａは、１月において、直接紹介により、被直接紹介者Ａ及びＢの２人を新規登録会員としている。この場合、被直接紹介者が新規登録となった人数に応じた報酬（以下、「スポンサーボーナス」という。）を得ることができる。
同様に２月においては、被直接紹介者Ａが被紹介者Ａ１を新規登録会員とし、被紹介者Ａ１は被紹介者Ａ１１及びＡ１２の２人を新規登録会員としている。被直接紹介者Ｂ、被紹介者Ｂ１、被紹介者Ａ１１、被紹介者Ａ１２及び被紹介者Ｂ１１も新規登録会員を獲得している。これらの者も同様にスポンサーボーナスを得ることができる。
【００３４】
登録会員Ａを含む、そのラインＡ及びＢの下位レベルの登録会員が獲得する購入ポイントの合計ポイントに応じて、本ネットワークビジネス報酬プランシステムの総売上高の４％を比例配分する報酬（以下、「ダイヤモンドボーナス」という。）を登録会員Ａは得ることができる。その下位レベルの登録会員である被直接紹介者Ａ等についても同様である。
ここで、４％という割合は任意であり、一定の下位レベルまでの購入ポイントの合計というように条件を設定することも可能である。
【００３５】
また、本ネットワークビジネス報酬プランシステムの登録会員Ａが直接紹介者となる登録会員候補者を獲得するためのネットワークビジネス支援システムを提供する。登録会員Ａは、パーソナルコンピュータ・スマートフォン・タブレット等の利用端末を、本ネットワークビジネス支援システムのサーバ（以下、「本サーバ」という。）に接続することにより、登録会員候補者に送信する招待メールの作成が容易となる。
【００３６】
図３に示すように、本サーバ１０、登録会員Ａその他登録会員の利用端末２０及び登録会員候補者の利用端末３０が、それぞれインターネット１を介して接続された環境下に置かれている。
本サーバ１０の制御手段１１は、ＣＰＵ等から構成され、各部の制御や、データの転送、種々の演算、データの一時的な格納等を行う。入力制御手段１２は、インターネット１を介して接続された登録会員Ａその他登録会員の利用端末２０から送信される識別情報に基づいた送信要求データを制御する。出力制御手段１３は、登録会員候補者の利用端末３０に送信される招待メールを制御する。符号１４〜１６は、それぞれ以下のファイルが格納されているデータベースとなっている。
【００３７】
データベース１４には登録会員Ａその他登録会員のデータが格納され、データベース１４内のデータベース１５には各登録会員が入力した登録会員候補者のデータが格納され、データベース１６には招待メールの文面データが格納される。
【００３８】
プログラム１７は、本サーバ１０と登録会員Ａその他登録会員の利用端末２０との接続を制御するプログラム、登録会員Ａその他登録会員の利用端末２０から送信された識別情報からデータベース１４に格納されている情報に従って、招待メールを作成するプログラム、当該招待メールを登録会員候補者の利用端末３０に送信するプログラム等が記憶されており、制御手段１１において用いられる。
【００３９】
登録会員Ａは、登録会員Ａの利用端末２０を本サーバ１０に接続し、登録会員Ａに付与されているＩＤ及びパスワードを入力することにより、招待メール作成画面５０へと移行する（ステップ１１）。あらかじめ登録会員Ａは登録会員候補者の氏名・メールアドレス・住所・勤務先等を入力しておくことができ、登録会員候補者のデータベースをデータベース１５上に作成することができる。本実施例においては、登録会員Ａは３人の登録会員候補者のデータを入力し、登録している。
招待メール作成画面５０では、当該データベース１５に登録されている登録会員候補者一覧５１が表示され、当該一覧５１から任意の登録会員候補者を選択する（ステップ１２）。ここで、１名を選択することも複数名を選択することも可能である。そして、登録会員候補者決定アイコン５２により送信先を決定すると、当該登録会員候補者向けの招待メール文面５３が自動で生成される（ステップ１４）。
【００４０】
ここで、作成された招待メール文面５３について、そのままメール送信をするか、テキストファイルとしてファイル出力するかを処理選択アイコン５５にて、選択する（ステップ１４）。
メール送信を選択した場合には、送信の確認後（ステップ１６）、選択された登録会員候補者の利用端末３０にメール送信される（ステップ１７）。ファイル出力を選択した場合には、招待メール文面５３がテキストファイルとしてファイル出力され、データベース１５に格納される（ステップ１５）。当該ファイルは、当該登録会員候補者に対して、登録会員Ａが印刷して書簡として送付する、登録会員Ａが使用するメールソフトを通して送信する等の利用が可能である。
【００４１】
また、他の実施例として、登録会員ＡがＩＤ及びパスワードを入力し（ステップ２１）、招待メール文面が自動生成された後（ステップ２２）、当該招待メール文面がテキストファイルとしてファイル出力され、データベース１４に格納される（ステップ２３）。
その後、登録会員Ａは利用端末２０上でメールソフトを起動すると（ステップ２４）、前記テキストファイルが当該メールソフトに読み込まれ（ステップ２５）、当該メールソフト上で送信先のメールアドレスを入力又は選択すると（ステップ２６）、送信の確認後に（ステップ２７）、メール送信される（ステップ２８）というようにすることもできる。
【００４２】
メールを受信した登録会員候補者は、受信したメールを開封すると、招待メール文面５３が表示されるが、当該文面に記載されたＵＲＬ５４をクリックすることにより、本サーバ１０に接続され、利用端末３０のブラウザに会員登録画面が表示され、容易に会員登録手続ができることとなる。
【符号の説明】
【００４３】
１            インターネット
１０            ネットワークビジネス支援システムのサーバ
１１            ネットワークビジネス支援システムのサーバの制御手段
１２            ネットワークビジネス支援システムのサーバの入力制御手段
１３            ネットワークビジネス支援システムのサーバの出力制御手段
１４            登録会員データのデータベース
１５            登録会員候補者データのデータベース
１６            招待メール文面データのデータベース
１７            ネットワークビジネス支援システムのサーバのプログラム
２０            登録会員の利用端末
３０            登録会員候補者の利用端末
５０            招待メール作成画面
５１            登録会員候補者一覧
５２            登録会員候補者決定アイコン
５３            作成された招待メール文面
５４            会員登録ＵＲＬ
５５            招待メール文面処理選択アイコン
【図１】
2019133394.tif 000003
【図２】
2019133394.tif 000004
【図３】
2019133394.tif 000005
【図４】
2019133394.tif 000006
【図５】
2019133394.tif 000007
【図６】
2019133394.tif 000008